【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
方法であって、
ネットワーク構成に少なくとも部分的に基づいて、複数のオーバヘッド・メッセージのうちの１つで、１または複数のセルに関連するセル識別子スプリット情報を受信すること、前記セル識別子スプリット情報は、ある周波数で動作するクローズされた加入者グループ（ＣＳＧ）セルに割り当てられたセル識別子のリストまたは範囲の少なくとも一方と、前記ＣＳＧセルの専用周波数情報を含む、と、
ここで、前記セル識別子スプリット情報は、マクロ・セル・アクセス・ポイントとフェムト・セル・アクセス・ポイントとの両方が前記ネットワーク構成において前記セル識別子スプリット情報をブロードキャストする場合に、低優先度の、低頻度で送信されたオーバヘッド・メッセージ内で、または、前記フェムト・セル・アクセス・ポイントのみが前記セル識別子スプリット情報を送信するか、または、前記マクロ・セル・アクセス・ポイントのサブセットのみが前記セル識別子スプリット情報を送信する場合に、高優先度の、高頻度で送信されたオーバヘッド・メッセージ内で、受信され、
前記１または複数のセルのうちの少なくとも１つからの、受信されたブロードキャスト信号に少なくとも部分的に基づいて、前記１または複数のセルのうちの少なくとも１つを識別するために、前記セル識別子スプリット情報を利用することと、
を備える方法。
【請求項２】
前記セル識別子スプリット情報を受信することは、セル選択／再選択に関連するパラメータを含むオーバヘッド・メッセージで、前記セル識別子スプリット情報を受信することを含む請求項１に記載の方法。
【請求項３】
前記高優先度の、高頻度で送信されたオーバヘッド・ヘッドメッセージで前記セル識別子スプリット情報を受信することは、ターゲット・ノードＢからのシステム情報ブロック３（ＳＩＢ３）メッセージで前記セル識別子スプリット情報を受信することを含む請求項１に記載の方法。
【請求項４】
前記オーバヘッド・メッセージで、クローズされた加入者グループ（ＣＳＧ）識別子を受信することをさらに備える請求項２に記載の方法。
【請求項５】
セル選択／再選択が、前記オーバヘッド・メッセージを送信しているターゲット・ノードＢに許可されているかを、前記ＣＳＧ識別子を、セル識別子の格納されたホワイト・リストと比較することに少なくとも部分的に基づいて判定することをさらに備える請求項４に記載の方法。
【請求項６】
前記セル識別子の格納されたホワイト・リストが空であるかに少なくとも部分的に基づいて、前記セル識別子スプリット情報を、回避または利用するセルに関連するものとして格納することをさらに備える請求項５に記載の方法。
【請求項７】
前記低優先度の、低頻度で送信されたオーバヘッド・メッセージで前記セル識別子スプリット情報を受信することは、ソース・ノードＢからのシステム情報ブロック１１ｂｉｓ（ＳＩＢ１１ｂｉｓ）で前記セル識別子スプリット情報を受信することを含む請求項８に記載の方法。
【請求項８】
前記セル識別子スプリット情報が受信されたセルから、近隣セルに関連する複数のセル識別子を備える近隣リストを受信することをさらに備える請求項１に記載の方法。
【請求項９】
前記セル識別子スプリット情報に存在しない前記近隣リスト内に、セル識別子を、マクロ・セルに関連するものとして格納することをさらに備える請求項８に記載の方法。
【請求項１０】
前記セル識別子スプリット情報は、前記セル識別子スプリット情報が受信されたノードＢによって実現されるセルと同様の周波数で動作する同様のタイプのセルに対応するセル識別子の範囲に関連している請求項１に記載の方法。
【請求項１１】
前記セル識別子スプリット情報は、前記セル識別子スプリット情報が受信されたノードＢによって実現されるセルと同様の周波数で動作する同様のタイプのセルに対応するセル識別子のリストに関連している請求項１に記載の方法。
【請求項１２】
無線通信装置であって、
ネットワーク構成に少なくとも部分的に基づいて、複数のオーバヘッド情報のうちの１つで、１または複数のセルに関連するセル識別子スプリット情報を取得し、前記セル識別子スプリット情報は、ある周波数で動作するクローズされた加入者グループ（ＣＳＧ）セルに割り当てられたセル識別子のリストまたは範囲の少なくとも一方と、前記ＣＳＧセルの専用周波数情報を含み、
ここで、前記セル識別子スプリット情報は、マクロ・セル・アクセス・ポイントとフェムト・セル・アクセス・ポイントとの両方が前記ネットワーク構成において前記セル識別子スプリット情報をブロードキャストする場合に、低優先度の、低頻度で送信されたオーバヘッド・メッセージ内で、または、前記フェムト・セル・アクセス・ポイントのみが前記セル識別子スプリット情報を送信するか、または、前記マクロ・セル・アクセス・ポイントのサブセットのみが前記セル識別子スプリット情報を送信する場合に、高優先度の、高頻度で送信されたオーバヘッド・メッセージ内で、受信され、
その後のセル識別を回避または利用するセルを示す前記セル識別子スプリット情報を格納するように構成された少なくとも１つのプロセッサと、
前記少なくとも１つのプロセッサに接続されたメモリと、
を備える無線通信装置。
【請求項１３】
前記複数のオーバヘッド・メッセージのうちの１つは、セル選択／再選択パラメータを備える請求項１２に記載の無線通信装置。
【請求項１４】
前記高優先度の、高頻度で送信されたオーバヘッド・メッセージは、システム情報ブロック３（ＳＩＢ３）メッセージである請求項１２に記載の無線通信装置。
【請求項１５】
前記少なくとも１つのプロセッサはさらに、前記複数のオーバヘッド・メッセージのうちの１つで受信された、クローズされた加入者グループ（ＣＳＧ）識別子を取得するように構成された請求項１３に記載の無線通信装置。
【請求項１６】
前記少なくとも１つのプロセッサはさらに、前記複数のオーバヘッド・メッセージのうちの１つが受信されたノードＢに対するアクセスが許可されているかを、前記クローズされた加入者グループ（ＣＳＧ）識別子が、ＣＳＧセルの格納されたホワイト・リスト内に存在するかに少なくとも部分的に基づいて判定するように構成された請求項１３に記載の無線通信装置。
【請求項１７】
前記少なくとも１つのプロセッサは、前記ＣＧＳセルの格納されたホワイト・リストが空であるかに基づいて、その後のセル識別において利用または回避するセルを示すために前記セル識別子スプリット情報を格納する請求項１６に記載の無線通信装置。
【請求項１８】
前記低優先度の、低頻度で送信されたオーバヘッド・メッセージは、システム情報ブロック１１ｂｉｓ（ＳＩＢ１１ｂｉｓ）メッセージである請求項１２に記載の無線通信装置。
【請求項１９】
前記少なくとも１つのプロセッサはさらに、前記複数のオーバヘッド・メッセージのうちの１つが受信されたノードＢから、近隣のノードＢに関連する複数のセル識別子を備える近隣リストを受信するように構成された請求項１２に記載の無線通信装置。
【請求項２０】
前記少なくとも１つのプロセッサはさらに、前記近隣リストからのセル識別子を、マクロ・セルに関連するものとして格納するように構成され、前記近隣リストからのセル識別子は、前記セル識別子スプリット情報に存在しない請求項１９に記載の無線通信装置。
【請求項２１】
前記セル識別子スプリット情報は、前記複数のオーバヘッド・メッセージのうちの１つが受信されたノードＢによって実現されるセルと同様の周波数で動作する同様のタイプのセルに対応するセル識別子の範囲に関連している請求項１２に記載の無線通信装置。
【請求項２２】
装置であって、
１または複数のセルに関連するセル識別子スプリット情報を備えるオーバヘッド・メッセージを受信する手段であって、前記セル識別子スプリット情報が受信される前記オーバヘッド・メッセージは、ネットワーク構成に少なくとも部分的に基づく、手段、前記セル識別子スプリット情報は、ある周波数で動作するクローズされた加入者グループ（ＣＳＧ）セルに割り当てられたセル識別子のリストまたは範囲の少なくとも一方と、前記ＣＳＧセルの専用周波数情報を含む、と、
ここで、前記セル識別子スプリット情報は、マクロ・セル・アクセス・ポイントとフェムト・セル・アクセス・ポイントとの両方が前記ネットワーク構成において前記セル識別子スプリット情報をブロードキャストする場合に、低優先度の、低頻度で送信されたオーバヘッド・メッセージ内で、または、前記フェムト・セル・アクセス・ポイントのみが前記セル識別子スプリット情報を送信するか、または、前記マクロ・セル・アクセス・ポイントのサブセットのみが前記セル識別子スプリット情報を送信する場合に、高優先度の、高頻度で送信されたオーバヘッド・メッセージ内で、受信され、
前記オーバヘッド・メッセージから前記セル識別子スプリット情報を判定する手段と、
その後のセル探索を利用または回避するセルを示す前記セル識別子スプリット情報を格納する手段と、
を備える装置。
【請求項２３】
前記オーバヘッド・メッセージは、セル選択／再選択パラメータを備える請求項２２に記載の装置。
【請求項２４】
前記高優先度の、高頻度で送信されたオーバヘッド・メッセージは、システム情報ブロック３（ＳＩＢ３）メッセージである請求項２２に記載の装置。
【請求項２５】
前記オーバヘッド・メッセージで、クローズされた加入者グループ（ＣＳＧ）識別子を取得する手段をさらに備える請求項２２に記載の装置。
【請求項２６】
前記受信する手段が、前記オーバヘッド・メッセージが受信されたノードＢに対するアクセスが許可されているかを、前記ＣＳＧ識別子が、ＣＳＧセルのホワイト・リストに存在するかに少なくとも部分的に基づいて判定する手段をさらに備える請求項２５に記載の装置。
【請求項２７】
前記セル識別子スプリット情報を格納する手段は、前記ＣＳＧセルのホワイト・リストが空であるかに少なくとも部分的に基づいて、利用または回避するセルを示す前記セル識別子スプリット情報を格納する請求項２６に記載の装置。
【請求項２８】
前記低優先度の、低頻度で送信されたオーバヘッド・メッセージは、システム情報ブロック１１ｂｉｓ（ＳＩＢ１１ｂｉｓ）メッセージである請求項２２に記載の装置。
【請求項２９】
前記オーバヘッド・メッセージを受信する手段は、前記受信する手段によってオーバヘッド・メッセージが受信されたノードＢから、近隣ノードＢのセル識別子を備える近隣リストを受信する請求項２２に記載の装置。
【請求項３０】
前記セル識別子スプリット情報を格納する手段は、前記近隣リストに存在するが、前記セル識別子スプリット情報に存在しないセル識別子を、マクロ・セル・ノードＢに関連するものとして格納する請求項２９に記載の装置。
【請求項３１】
前記セル識別子スプリット情報は、前記受信する手段によってオーバヘッド・メッセージが受信されたノードＢによって実現されるセルと同様の周波数で動作する同様のタイプのセルに対応するセル識別子の範囲に関連している請求項２２に記載の装置。
【請求項３２】
非一時的コンピュータ読取可能媒体であって、
前記コンピュータ読取可能媒体は、
少なくとも１つのコンピュータに対して、ネットワーク構成に少なくとも部分的に基づいて、複数のオーバヘッド・メッセージのうちの１つで、１または複数のセルに関連するセル識別子スプリット情報を受信させるためのコード、前記セル識別子スプリット情報は、ある周波数で動作するクローズされた加入者グループ（ＣＳＧ）セルに割り当てられたセル識別子のリストまたは範囲の少なくとも一方と、前記ＣＳＧセルの専用周波数情報を含む、と、
ここで、前記セル識別子スプリット情報は、マクロ・セル・アクセス・ポイントとフェムト・セル・アクセス・ポイントとの両方が前記ネットワーク構成において前記セル識別子スプリット情報をブロードキャストする場合に、低優先度の、低頻度で送信されたオーバヘッド・メッセージ内で、または、前記フェムト・セル・アクセス・ポイントのみが前記セル識別子スプリット情報を送信するか、または、前記マクロ・セル・アクセス・ポイントのサブセットのみが前記セル識別子スプリット情報を送信する場合に、高優先度の、高頻度で送信されたオーバヘッド・メッセージ内で、受信され、
前記少なくとも１つのコンピュータに対して、前記１または複数のセルのうちの少なくとも１つから受信したブロードキャスト信号に少なくとも部分的に基づいて、前記１または複数のセルのうちの少なくとも１つを識別するために前記セル識別子スプリット情報を利用させるためのコードと、
を備える非一時的コンピュータ読取可能媒体。
【請求項３３】
前記少なくとも１つのコンピュータに対して、前記セル識別子スプリット情報を受信させるためのコードは、セル選択／再選択に関連するパラメータを含むオーバヘッド・メッセージで前記セル識別子スプリット情報を受信する請求項３２に記載の非一時的コンピュータ読取可能媒体。
【請求項３４】
前記少なくとも１つのコンピュータに対して、前記高優先度の、高頻度で送信されたオーバヘッド・メッセージで前記セル識別子スプリット情報を受信させるためのコードは、ノードＢからのシステム情報ブロック３（ＳＩＢ３）メッセージで前記セル識別子スプリット情報を受信する請求項３２に記載の非一時的コンピュータ読取可能媒体。
【請求項３５】
前記非一時的コンピュータ読取可能媒体はさらに、前記少なくとも１つのコンピュータに対して、前記オーバヘッド・メッセージで、クローズされた加入者グループ（ＣＳＧ）識別子を受信させるためのコードを備える請求項３２に記載の非一時的コンピュータ読取可能媒体。
【請求項３６】
前記非一時的コンピュータ読取可能媒体はさらに、前記少なくとも１つのコンピュータに対して、前記オーバヘッド・メッセージを送信しているノードＢに、セル選択／再選択が許可されているかを、前記ＣＳＧ識別子を、セル識別子の格納されたホワイト・リストと比較することに少なくとも部分的に基づいて判定させるためのコードを備える請求項３５に記載の非一時的コンピュータ読取可能媒体。
【請求項３７】
前記非一時的コンピュータ読取可能媒体はさらに、前記少なくとも１つのコンピュータに対して、前記セル識別子の格納されたホワイト・リストが空であるかに少なくとも部分的に基づいて、回避または利用するセルに関連するものとして、前記セル識別子スプリット情報を格納させるためのコードを備える請求項３６に記載の非一時的コンピュータ読取可能媒体。
【請求項３８】
前記少なくとも１つのコンピュータに対して、前記セル識別子スプリット情報を受信させるためのコードは、前記マクロ・セル・アクセスポイントと前記フェムト・セル・アクセス・ポイントとの両方が前記ネットワーク構成において前記セル識別子スプリット情報をブロードキャストする場合に、ソース・ノードＢからのシステム情報ブロック１１ｂｉｓ（ＳＩＢ１１ｂｉｓ）で前記セル識別子スプリット情報を受信する請求項３２に記載の非一時的コンピュータ読取可能媒体。
【請求項３９】
前記非一時的コンピュータ読取可能媒体はさらに、前記少なくとも１つのコンピュータに対して、近隣ノードＢに関連する複数のセル識別子を備える近隣リストを、前記セル識別子スプリット情報が受信されたノードＢから受信させるためのコードを備える請求項３２に記載の非一時的コンピュータ読取可能媒体。
【請求項４０】
前記非一時的コンピュータ読取可能媒体はさらに、前記少なくとも１つのコンピュータに対して、前記セル識別子スプリット情報に存在しないセル識別子を前記近隣リスト内に、マクロ・セルに関連するものとして格納させるためのコードを備える請求項３９に記載の非一時的コンピュータ読取可能媒体。
【請求項４１】
前記セル識別子スプリット情報は、前記セル識別子スプリット情報が受信されたノードＢによって実現されるセルと同様の周波数で動作する同様のタイプのセルに対応するセル識別子の範囲に関連している請求項３２に記載の非一時的コンピュータ読取可能媒体。
【請求項４２】
装置であって、
１または複数のセルに関連するセル識別子スプリット情報を備えるオーバヘッド・メッセージを取得するオーバヘッド・メッセージ処理構成要素であって、前記セル識別子スプリット情報が受信される前記オーバヘッド・メッセージは、ネットワーク構成に少なくとも部分的に基づく、オーバヘッド・メッセージ処理構成要素、前記セル識別子スプリット情報は、ある周波数で動作するクローズされた加入者グループ（ＣＳＧ）セルに割り当てられたセル識別子のリストまたは範囲の少なくとも一方と、前記ＣＳＧセルの専用周波数情報を含む、と、
前記オーバヘッド・メッセージから前記セル識別子スプリット情報を判定するセル識別子スプリット情報受信構成要素、ここで、前記セル識別子スプリット情報は、マクロ・セル・アクセス・ポイントとフェムト・セル・アクセス・ポイントとの両方が前記ネットワーク構成において前記セル識別子スプリット情報をブロードキャストする場合に、低優先度の、低頻度で送信されたオーバヘッド・メッセージ内で、または、前記フェムト・セル・アクセス・ポイントのみが前記セル識別子スプリット情報を送信するか、または、前記マクロ・セル・アクセス・ポイントのサブセットのみが前記セル識別子スプリット情報を送信する場合に、高優先度の、高頻度で送信されたオーバヘッド・メッセージ内で、受信される、と、
その後のセル探索を利用または回避するセルを示す前記セル識別子スプリット情報を格納するセル識別子スプリット情報格納構成要素と、
を備える装置。
【請求項４３】
前記オーバヘッド・メッセージは、セル選択／再選択パラメータを備える請求項４２に記載の装置。
【請求項４４】
前記高優先度の、高頻度で送信されたオーバヘッド・メッセージは、システム情報ブロック３（ＳＩＢ３）メッセージである請求項４２に記載の装置。
【請求項４５】
前記オーバヘッド・メッセージでＣＳＧ識別子を取得する、クローズされた加入者グループ（ＣＳＧ）識別子受信構成要素をさらに備える請求項４３に記載の装置。
【請求項４６】
前記オーバヘッド・メッセージ処理構成要素によって前記オーバヘッド・メッセージが取得されたノードＢに対するアクセスが許可されているかを、前記ＣＳＧ識別子がＣＳＧセルのホワイト・リストに存在するかに少なくも部分的に基づいて区別するアクセス判定構成要素をさらに備える請求項４５に記載の装置。
【請求項４７】
前記セル識別子スプリット情報格納構成要素は、前記ＣＳＧセルのホワイト・リストが空であるかに少なくとも部分的に基づいて、利用または回避するセルを示す前記セル識別子スプリット情報を格納する請求項４６に記載の装置。
【請求項４８】
前記低優先度の、低頻度で送信されたオーバヘッド・メッセージは、システム情報ブロック１１ｂｉｓ（ＳＩＢ１１ｂｉｓ）メッセージである請求項４２に記載の装置。
【請求項４９】
前記オーバヘッド・メッセージ処理構成要素は、近隣ノードＢのセル識別子を備える近隣リストを、前記オーバヘッド・メッセージ処理構成要素によって前記オーバヘッド・メッセージが取得されたノードＢから取得する請求項４２に記載の装置。
【請求項５０】
前記セル識別子スプリット情報格納構成要素は、前記近隣リストに存在するが、前記セル識別子スプリット情報に存在しないセル識別子を、マクロ・セル・ノードＢに関連するものとして格納する請求項４９に記載の装置。
【請求項５１】
前記セル識別子スプリット情報は、前記オーバヘッド・メッセージ処理構成要素によって前記オーバヘッド・メッセージが取得されたノードＢによって実現されるセルと同様の周波数で動作する同様のタイプのセルに対応するセル識別子の範囲に関連している請求項４２に記載の装置。
【請求項５２】
方法であって、
同じようなタイプの１または複数のセルに関連し、同じような周波数で動作するセル識別子スプリット情報を受信すること、前記セル識別子スプリット情報は、ある周波数で動作するクローズされた加入者グループ（ＣＳＧ）セルに割り当てられたセル識別子のリストまたは範囲の少なくとも一方と、前記ＣＳＧセルの専用周波数情報を含む、と、
ネットワーク構成に少なくとも部分的に基づいて、前記セル識別子スプリット情報を送信するためのオーバヘッド・メッセージを選択すること、ここで、前記セル識別子スプリット情報は、マクロ・セル・アクセス・ポイントとフェムト・セル・アクセス・ポイントとの両方が前記ネットワーク構成において前記セル識別子スプリット情報をブロードキャストする場合に、低優先度の、低頻度で送信されたオーバヘッド・メッセージ内で、または、前記フェムト・セル・アクセス・ポイントのみが前記セル識別子スプリット情報を送信するか、または、前記マクロ・セル・アクセス・ポイントのサブセットのみが前記セル識別子スプリット情報を送信する場合に、高優先度の、高頻度で送信されたオーバヘッド・メッセージ内で、受信される、と、
前記セル識別子スプリット情報を含む前記オーバヘッド・メッセージを、１または複数のモバイル・デバイスへ送信することと、
を備える方法。
【請求項５３】
前記オーバヘッド・メッセージを選択することは、システム情報ブロック３（ＳＩＢ３）メッセージを選択することを含み、前記ネットワーク構成は、フェムト・セル・アクセス・ポイントのみがセル識別子スプリット情報を送信するか、あるいは、マクロ・セル・アクセス・ポイントのサブセットのみがセル識別子スプリット情報を送信することを示す請求項５２に記載の方法。
【請求項５４】
前記ＳＩＢ３メッセージに１または複数のアクセス制限パラメータを含めることをさらに備える請求項５３に記載の方法。
【請求項５５】
前記１または複数のアクセス制限パラメータは、クローズされた加入者グループ（ＣＳＧ）識別子を含む請求項５４に記載の方法。
【請求項５６】
前記オーバヘッド・メッセージを選択することは、システム情報ブロック１１ｂｉｓ（ＳＩＢ１１ｂｉｓ）メッセージを選択することを含み、前記ネットワーク構成は、マクロ・セル・アクセス・ポイントおよびフェムト・セル・アクセス・ポイントがセル識別子スプリット情報を送信することを示す請求項５２に記載の方法。
【請求項５７】
前記ＳＩＢ１１ｂｉｓメッセージ内に、クローズされた加入者グループ（ＣＳＧ）セルのための専用の周波数リストを含めることをさらに備える請求項５６に記載の方法。
【請求項５８】
前記セル識別子スプリット情報を受信することは、ネットワーク・デバイス、設定、仕様、またはハードコーディングから前記セル識別子スプリット情報を受信することを含む請求項５２に記載の方法。
【請求項５９】
前記オーバヘッド・メッセージを選択することは、アクセス・ポイントのタイプに少なくとも部分的に基づく請求項５２に記載の方法。
【請求項６０】
無線通信装置であって、
同じような周波数で動作する１または複数のセルに関連するセル識別子スプリット情報を受信し、前記セル識別子スプリット情報は、ある周波数で動作するクローズされた加入者グループ（ＣＳＧ）セルに割り当てられたセル識別子のリストまたは範囲の少なくとも一方と、前記ＣＳＧセルの専用周波数情報を含む、
ネットワーク構成に少なくとも部分的に基づいて、前記セル識別子スプリット情報を送信するためのオーバヘッド・メッセージを判定し、ここで、低優先度の、低頻度で送信されたオーバヘッド・メッセージは、マクロ・セル・アクセス・ポイントとフェムト・セル・アクセス・ポイントとの両方が前記ネットワーク構成において前記セル識別子スプリット情報をブロードキャストする場合に決定され、または、高優先度の、高頻度で送信されたオーバヘッド・メッセージは、前記フェムト・セル・アクセス・ポイントのみが前記セル識別子スプリット情報を送信するか、または、前記マクロ・セル・アクセス・ポイントのサブセットのみが前記セル識別子スプリット情報を送信する場合に、決定される、
前記オーバヘッド・メッセージを用いる１または複数のデバイスへ、前記オーバヘッド・メッセージを送信するように構成された少なくとも１つのプロセッサと、
前記少なくとも１つのプロセッサに接続されたメモリと、
を備える無線通信装置。
【請求項６１】
前記少なくとも１つのプロセッサは、前記ネットワーク構成が、前記フェムト・セル・アクセス・ポイントのみが前記セル識別子スプリット情報を提供すること、または、前記マクロ・セル・アクセス・ポイントが前記セル識別子スプリット情報を送信することを示す場合に、前記オーバヘッド・メッセージが、システム情報ブロック３（ＳＩＢ３）メッセージとなるべきであると判定する、請求項６０に記載の無線通信装置。
【請求項６２】
前記少なくとも１つのプロセッサはさらに、前記ＳＩＢ３メッセージに、１または複数のアクセス制限パラメータを含めるように構成された請求項６１に記載の無線通信装置。
【請求項６３】
前記少なくとも１つのプロセッサは、前記ネットワーク構成が、前記マクロ・セル・アクセス・ポイントおよび前記フェムト・セル・アクセス・ポイントが、前記セル識別子スプリット情報を提供することを示す場合に、前記オーバヘッド・メッセージを、システム情報ブロック１１ｂｉｓ（ＳＩＢ１１ｂｉｓ）メッセージとして判定する、請求項６０に記載の無線通信装置。
【請求項６４】
前記少なくとも１つのプロセッサはさらに、クローズされた加入者グループ（ＣＳＧ）セルのための専用の周波数リストを、前記ＳＩＢ１１ｂｉｓメッセージに含めるように構成された請求項６３に記載の無線通信装置。
【請求項６５】
装置であって、
同じような周波数で動作する１または複数のセルに関連するセル識別子スプリット情報を受信する手段、前記セル識別子スプリット情報は、ある周波数で動作するクローズされた加入者グループ（ＣＳＧ）セルに割り当てられたセル識別子のリストまたは範囲の少なくとも一方と、前記ＣＳＧセルの専用周波数情報を含む、と、
ネットワーク構成に少なくとも部分的に基づいて、前記セル識別子スプリット情報を含めるためのオーバヘッド・メッセージを選択する手段、ここで、低優先度の、低頻度で送信されたオーバヘッド・メッセージは、マクロ・セル・アクセス・ポイントとフェムト・セル・アクセス・ポイントとの両方が前記ネットワーク構成において前記セル識別子スプリット情報をブロードキャストする場合に決定され、または、高優先度の、高頻度で送信されたオーバヘッド・メッセージは、前記フェムト・セル・アクセス・ポイントのみが前記セル識別子スプリット情報を送信するか、または、前記マクロ・セル・アクセス・ポイントのサブセットのみが前記セル識別子スプリット情報を送信する場合に、決定される、と、
前記セル識別子スプリット情報を備える前記オーバヘッド・メッセージを、１または複数の無線デバイスへ提供する手段と、
を備える装置。
【請求項６６】
前記オーバヘッド・メッセージを選択する手段は、システム情報ブロック３（ＳＩＢ３）メッセージを選択し、前記ネットワーク構成は、前記フェムト・セル・アクセス・ポイントのみが前記セル識別子スプリット情報を提供するか、または、前記マクロ・セル・アクセス・ポイントのサブセットのみが前記セル識別子スプリット情報を送信することを示す請求項６５に記載の装置。
【請求項６７】
前記オーバヘッド・メッセージを選択する手段は、前記ＳＩＢメッセージ内に１または複数のアクセス制限パラメータを含める請求項６６に記載の装置。
【請求項６８】
前記オーバヘッド・メッセージを選択する手段は、前記ネットワーク構成は、前記マクロ・セル・アクセス・ポイントと前記フェムト・セル・アクセス・ポイントが前記セル識別子スプリット情報を提供することを示す場合に、システム情報ブロック１１ｂｉｓ（ＳＩＢ１１ｂｉｓ）メッセージを選択する、請求項６５に記載の装置。
【請求項６９】
前記オーバヘッド・メッセージを選択する手段は、前記ＳＩＢ１１ｂｉｓメッセージ内に、クローズされた加入者グループ（ＣＳＧ）セルのための専用の周波数リストを含める請求項６８に記載の装置。
【請求項７０】
前記セル識別子スプリット情報を受信する手段は、ネットワーク・デバイス、設定、仕様、またはハードコーディングから前記セル識別子スプリット情報を受信する請求項６５に記載の装置。
【請求項７１】
前記選択する手段は、前記装置のアクセス・ポイント・タイプに少なくとも部分的に基づいて前記オーバヘッド・メッセージを選択する請求項６５に記載の装置。
【請求項７２】
非一時的コンピュータ読取可能媒体であって、
前記非一時的コンピュータ読取可能媒体は、
少なくとも１つのコンピュータに対して、同じようなタイプの１または複数のセルに関連し、同じような周波数で動作するセル識別子スプリット情報を受信させるためのコード、前記セル識別子スプリット情報は、ある周波数で動作するクローズされた加入者グループ（ＣＳＧ）セルに割り当てられたセル識別子のリストまたは範囲の少なくとも一方と、前記ＣＳＧセルの専用周波数情報を含む、と、
前記少なくとも１つのコンピュータに対して、ネットワーク構成に少なくとも部分的に基づいて、前記セル識別子スプリット情報を送信するためのオーバヘッド・メッセージを選択させるためのコード、ここで、低優先度の、低頻度で送信されたオーバヘッド・メッセージは、マクロ・セル・アクセス・ポイントとフェムト・セル・アクセス・ポイントとの両方が前記ネットワーク構成において前記セル識別子スプリット情報をブロードキャストする場合に選択され、または、高優先度の、高頻度で送信されたオーバヘッド・メッセージは、前記フェムト・セル・アクセス・ポイントのみが前記セル識別子スプリット情報を送信するか、または、前記マクロ・セル・アクセス・ポイントのサブセットのみが前記セル識別子スプリット情報を送信する場合に、選択される、と、
前記少なくとも１つのコンピュータに対して、前記セル識別子スプリット情報を含む前記オーバヘッド・メッセージを、１または複数の無線デバイスへ送信させるためのコードと、
を備える非一時的コンピュータ読取可能媒体。
【請求項７３】
前記少なくとも１つのコンピュータに対して、前記オーバヘッド・メッセージを選択させるためのコードは、前記ネットワーク構成が、前記フェムト・セル・アクセス・ポイントのみが前記セル識別子スプリット情報を送信すること、または、前記マクロ・セル・アクセス・ポイントのサブセットのみが前記セル識別子スプリット情報を送信することを示す場合に、システム情報ブロック３（ＳＩＢ３）メッセージを選択する、請求項７２に記載の非一時的コンピュータ読取可能媒体。
【請求項７４】
前記コンピュータ読取可能媒体はさらに、前記少なくとも１つのコンピュータに対して、前記ＳＩＢ３メッセージに、１または複数のアクセス制限パラメータを含めさせるためのコードを備える請求項７３に記載の非一時的コンピュータ読取可能媒体。
【請求項７５】
前記少なくとも１つのコンピュータに対して、前記オーバヘッド・メッセージを選択させるためのコードは、前記ネットワーク構成が、前記マクロ・セル・アクセス・ポイントと前記フェムト・セル・アクセス・ポイントが前記セル識別子スプリット情報を送信することを示す場合に、システム情報ブロック１１ｂｉｓ（ＳＩＢ１１ｂｉｓ）メッセージを選択する、請求項７２に記載の非一時的コンピュータ読取可能媒体。
【請求項７６】
前記コンピュータ読取可能媒体はさらに、前記少なくとも１つのコンピュータに対して、前記ＳＩＢ１１ｂｉｓメッセージ内に、クローズされた加入者グループ（ＣＳＧ）のための専用の周波数リストを含めさせるためのコードを備える請求項７５に記載の非一時的コンピュータ読取可能媒体。
【請求項７７】
装置であって、
同じような周波数で動作する１または複数のセルに関連するセル識別子スプリット情報を受信するセル識別子スプリット情報判定構成要素、前記セル識別子スプリット情報は、ある周波数で動作するクローズされた加入者グループ（ＣＳＧ）セルに割り当てられたセル識別子のリストまたは範囲の少なくとも一方と、前記ＣＳＧセルの専用周波数情報を含む、と、
ネットワーク構成に少なくとも部分的に基づいて、前記セル識別子スプリット情報を含めるためのオーバヘッド・メッセージを選択するオーバヘッド・メッセージ生成構成要素、ここで、低優先度の、低頻度で送信されたオーバヘッド・メッセージは、マクロ・セル・アクセス・ポイントとフェムト・セル・アクセス・ポイントとの両方が前記ネットワーク構成において前記セル識別子スプリット情報をブロードキャストする場合に選択され、または、高優先度の、高頻度で送信されたオーバヘッド・メッセージは、前記フェムト・セル・アクセス・ポイントのみが前記セル識別子スプリット情報を送信するか、または、前記マクロ・セル・アクセス・ポイントのサブセットのみが前記セル識別子スプリット情報を送信する場合に、選択される、と、
前記セル識別子スプリット情報を備えるオーバヘッド・メッセージを、１または複数の無線デバイスへ提供するオーバヘッド・メッセージ送信構成要素と、
を備える装置。
【請求項７８】
前記オーバヘッド・メッセージ生成構成要素は、前記ネットワーク構成は、前記フェムト・セル・アクセス・ポイントのみが前記セル識別子スプリット情報を提供すること、または、前記マクロ・セル・アクセス・ポイントのサブセットのみが前記セル識別子スプリット情報を提供することを示す場合に、システム情報ブロック３（ＳＩＢ３）メッセージを選択する、請求項７７に記載の装置。
【請求項７９】
前記オーバヘッド・メッセージ生成構成要素は、前記ＳＩＢ３メッセージ内に、１または複数のアクセス制限パラメータを含める請求項７８に記載の装置。
【請求項８０】
前記オーバヘッド・メッセージ生成構成要素は、前記ネットワーク構成が、前記マクロ・セル・アクセス・ポイントと前記フェムト・セル・アクセス・ポイントが前記セル識別子スプリット情報を提供することを示す場合に、システム情報ブロック１１ｂｉｓ（ＳＩＢ１１ｂｉｓ）メッセージを選択する、請求項７７に記載の装置。
【請求項８１】
前記オーバヘッド・メッセージ生成構成要素は、前記ＳＩＢ１１ｂｉｓメッセージ内に、クローズされた加入者グループ（ＣＳＧ）セルのための専用の周波数リストを含める請求項８０に記載の装置。